(57)【要約】【課題】複数の圧力スイッチに相当する接続部品の数量を削減する。【解決手段】冷凍装置（10）には、作動する冷媒の設定圧力が互いに異なるように構成され、作動することで接点を開くスイッチ部（41a,42a,43a）をそれぞれ有する複数の圧力スイッチ（41,42,43）と、複数の圧力スイッチ（41,42,43）のスイッチ部（41a,42a,43a）が直列に接続されるスイッチ回路（40）と、スイッチ回路（40）が非通電状態になるときに、少なくとも、冷媒回路（11）の圧力に相当する物理量に基づいて、どの圧力スイッチ（41,42,43）が作動したかを判定する判定部（51）とが設けられる。【選択図】図２
2017227356.tif 000002
【特許請求の範囲】
【請求項１】
圧縮機（21）から吐出された冷媒が循環することで冷凍サイクルを行う冷媒回路（11）を備えた冷凍装置であって、
作動する冷媒の設定圧力が互いに異なるように構成され、作動することで接点を開くスイッチ部（41a,42a,43a）をそれぞれ有する複数の圧力スイッチ（41,42,43）と、
上記複数の圧力スイッチ（41,42,43）のスイッチ部（41a,42a,43a）が直列に接続されるスイッチ回路（40）と、
上記スイッチ回路（40）が非通電状態になるときに、少なくとも、上記冷媒回路（11）の冷媒の圧力に相当する物理量に基づいて、どの圧力スイッチ（41,42,43）が作動したかを判定する判定部（51）とを備えている
ことを特徴とする冷凍装置。
【請求項２】
請求項１において、
上記物理量は、上記圧縮機（21）の電流値を示す指標である
ことを特徴とする冷凍装置。
【請求項３】
請求項１において、
上記物理量は、上記冷媒回路（11）の冷媒の温度を示す指標である
ことを特徴とする冷凍装置。
【請求項４】
請求項１乃至３のいずれか１つにおいて、
上記複数の圧力スイッチ（41,42,43）は、上記冷媒回路（11）の高圧ラインに接続される高圧圧力スイッチ（41）と、上記冷媒回路（11）の低圧ラインに接続される低圧圧力スイッチ（42）とを含んでいる
ことを特徴とする冷凍装置。
【請求項５】
圧縮機（21）から吐出された冷媒が循環することで冷凍サイクルを行う冷媒回路（11）と、作動する冷媒の設定圧力が互いに異なるように構成され、作動することで接点を開くスイッチ部（41a,42a,43a）をそれぞれ有する複数の圧力スイッチ（41,42,43）と、該複数の圧力スイッチ（41,42,43）のスイッチ部（41a,42a,43a）が直列に接続されるスイッチ回路（40）とを備えた冷凍装置（10）において、複数の圧力スイッチ（41,42,43）のうちどの圧力スイッチ（41,42,43）が作動したかを判定する圧力スイッチの作動判定方法であって、
上記スイッチ回路（40）が非通電状態となるときに、少なくとも、上記冷媒回路（11）の冷媒の圧力に相当する物理量に基づいて、どの圧力スイッチ（41,42,43）が作動したかを判定する圧力スイッチの作動判定方法。
【発明の詳細な説明】
【技術分野】
【０００１】
本発明は、圧力スイッチを備えた冷凍装置、及び該圧力スイッチの作動判定方法に関する。
【背景技術】
【０００２】
従来より、冷媒回路を備えた冷凍装置が知られており、空気調和装置等に広く適用されている。例えば特許文献１に開示の冷凍装置は、圧縮機、凝縮器（放熱器）、膨張弁、及び蒸発器が接続された冷媒回路を備えている。冷媒回路では、圧縮機から吐出された冷媒（いわゆる高圧冷媒）が、凝縮器で放熱し膨張弁で減圧された後、蒸発器で蒸発する冷凍サイクルが行われる。
【０００３】
冷媒回路には、高圧ラインに高圧圧力スイッチが接続され、低圧ラインに低圧圧力スイッチが接続される。例えば冷媒回路の高圧冷媒の圧力が異常上昇すると、高圧圧力センサが作動し、冷却運転が一時的に停止する。
【先行技術文献】
【特許文献】
【０００４】
【特許文献１】特開平９−２１０４８２号公報
【発明の概要】
【発明が解決しようとする課題】
【０００５】
冷媒回路に複数の圧力スイッチを設けると、この圧力スイッチの数量に応じて、プリント基板などに配線の接続部品（例えば端子やコネクタ等）を設ける必要がある。このため、圧力スイッチの数量が多くなると、これに伴い接続部品の数量も増えてしまう。
【０００６】
しかし、プリント基板には、必ずしも複数の圧力スイッチに対応する数の接続部品があるとは限らない。また、このような接続部品の数量を減らすことができれば、プリント基板の小型化、コスト削減を図ることができる。
【０００７】
本発明は、このような点に鑑みてなされたものであり、複数の圧力スイッチに対応する接続部品の数量を削減できる冷凍装置、及びそれを実現するための圧力スイッチの作動判定方法を提案することである。
【課題を解決するための手段】
【０００８】
第１の発明は、圧縮機（21）から吐出された冷媒が循環することで冷凍サイクルを行う冷媒回路（11）を備えた冷凍装置を対象とし、作動する冷媒の設定圧力が互いに異なるように構成され、作動することで接点を開くスイッチ部（41a,42a,43a）をそれぞれ有する複数の圧力スイッチ（41,42,43）と、該複数の圧力スイッチ（41,42,43）のスイッチ部（41a,42a,43a）が直列に接続されるスイッチ回路（40）と、該スイッチ回路（40）が非通電状態になるときに、少なくとも、上記冷媒回路（11）の冷媒の圧力に相当する物理量に基づいて、どの圧力スイッチ（41,42,43）が作動したかを判定する判定部（51）とを備えていることを特徴とする。
【０００９】
第１の発明では、スイッチ回路（40）に複数の圧力スイッチ（41,42,43）が直列に接続される。つまり、スイッチ回路（40）は、複数の圧力スイッチ（41,42,43）に共用されるため、スイッチ回路（40）が接続される接続部品の数量も削減できる。
【００１０】
複数の圧力スイッチ（41,42,43）のいずれかが作動すると、作動した圧力スイッチ（41,42,43）のスイッチ部（41a,42a,43a）が接点を開く。これにより、スイッチ回路（40）は非通電状態となる。スイッチ回路（40）が非通電状態となったことだけでは、複数の圧力スイッチ（41,42,43）のうちのどの圧力スイッチ（41,42,43）のスイッチ部（41a,42a,43a）が作動したかは特定できない。そこで、判定部（51）は、冷媒回路（11）の圧力に相当する物理量に基づいて、どの圧力スイッチ（41,42,43）が作動したかを判定する。つまり、複数の圧力スイッチ（41,42,43）の設定圧力は互いに異なるため、いずれかの圧力スイッチ（41,42,43）が作動したときの冷媒回路（11）の冷媒の圧力は、圧力スイッチ（41,42,43）毎に異なる。従って、例えばスイッチ回路（40）が非通電状態となったときの冷媒回路（11）の圧力が比較的高い場合、設定圧力が比較的高い圧力スイッチ（41,42）が作動したと判断できる。逆に、スイッチ回路（40）が非通電状態となったときの冷媒回路（11）の圧力が比較的低い場合、設定圧力が比較的低い圧力スイッチ（43）が作動したと判断できる。このように、スイッチ回路（40）が非通電状態となったときに、冷媒回路（11）の圧力に相当する物理量を用いることで、いずれの圧力スイッチ（41,42,43）が作動したかを判定できる。
【００１１】
第２の発明は、第１の発明において、上記物理量は、上記圧縮機（21）の電流値を示す指標であることを特徴とする。
【００１２】
第２の発明では、作動した圧力スイッチ（41,42,43）を特定するための物理量として、圧縮機（21）の電流値を示す指標が用いられる。例えば、冷媒回路（11）の冷凍サイクルの全体的な圧力が高い場合、高圧冷媒（凝縮圧力に相当）に加え、低圧冷媒の圧力（蒸発圧力に相当）も高くなる。この場合、圧縮機（21）に吸入される冷媒の質量流量が大きくなるため、圧縮機（21）の仕事量が大きくなり、ひいては圧縮機（21）のモータ電流値が大きくなる。逆に、冷媒回路（11）の冷凍サイクルの全体的な圧力が低い場合、圧縮機（21）に吸入される冷媒の質量流量が小さくなるため、圧縮機（21）の仕事量が小さくなり、ひいては圧縮機（21）のモータ電流値が小さくなる。このように、圧力スイッチ（41,42,43）が作動するときの冷媒回路（11）の圧力と、この際の圧縮機（21）のモータ電流値とには相関がある。従って、圧縮機（21）の電流値を用いることで、冷媒回路（11）の圧力を推定でき、ひいてはどの圧力スイッチ（41,42,43）が作動したかを特定できる。
【００１３】
第３の発明は、第１の発明において、上記物理量は、上記冷媒回路（11）の冷媒の温度を示す指標であることを特徴とする。
【００１４】
第３の発明では、作動した圧力スイッチ（41,42,43）を特定するための物理量として、冷媒回路（11）の冷媒の温度を示す指標が用いられる。例えば、冷媒回路（11）の冷凍サイクルの全体的な圧力が高い場合、冷媒の温度も高くなる傾向にある。逆に、冷媒回路（11）の冷凍サイクルの全体的な圧力が低い場合、冷媒の温度も低くなる傾向にある。従って、冷媒回路（11）の冷媒の温度を用いることで、冷媒回路（11）の冷媒の圧力を推定でき、ひいてはどの圧力スイッチ（41,42,43）が作動したかを特定できる。
【００１５】
第４の発明は、請求項１乃至３のいずれか１つにおいて、上記複数の圧力スイッチ（41,42,43）は、上記冷媒回路（11）の高圧ラインに接続される高圧圧力スイッチ（41）と、上記冷媒回路（11）の低圧ラインに接続される低圧圧力スイッチ（42）とを含んでいることを特徴とする。
【００１６】
第４の発明では、スイッチ回路（40）に高圧圧力スイッチ（41）と低圧圧力スイッチ（42）とが接続される。高圧圧力スイッチ（41）の設定圧力と、低圧圧力スイッチ（42）の設定圧力とには大きな差がある。このため、高圧圧力スイッチ（41）が作動したときの冷媒回路（11）の冷媒の圧力と、低圧圧力スイッチ（42）が作動したときの冷媒回路（11）の冷媒の圧力との間にも大きな差が生じる。従って、これらの圧力スイッチ（41,42）が作動したときに冷媒回路（11）の圧力に相当する物理量を用いることで、どの圧力スイッチ（41,42）が作動したかを精度よく特定できる。
【００１７】
第５の発明は、圧縮機（21）から吐出された冷媒が循環することで冷凍サイクルを行う冷媒回路（11）と、作動する冷媒の設定圧力が互いに異なるように構成され、作動することで接点を開くスイッチ部（41a,42a,43a）をそれぞれ有する複数の圧力スイッチ（41,42,43）と、該複数の圧力スイッチ（41,42,43）のスイッチ部（41a,42a,43a）が直列に接続されるスイッチ回路（40）とを備えた冷凍装置（10）において、複数の圧力スイッチ（41,42,43）のうちどの圧力スイッチ（41,42,43）が作動したかを判定する圧力スイッチの作動判定方法を対象とし、上記スイッチ回路（40）が非通電状態となるときに、少なくとも、上記冷媒回路（11）の冷媒の圧力に相当する物理量に基づいて、どの圧力スイッチ（41,42,43）が作動したかを判定する。
【００１８】
第５の発明では、スイッチ回路（40）が接続される接続部品の数量も削減しつつ、どの圧力スイッチ（41,42,43）が作動したかを判定できる。
【発明の効果】
【００１９】
第１や第５の発明によれば、複数の圧力スイッチ（41,42,43）が１つのスイッチ回路（40）を共用できるため、スイッチ回路（40）が接続される接続部品（端子やコネクタ）の数量を減らすことができる。この結果、接続部品の数量が限られたプリント基板に対しても、複数の圧力スイッチ（41,42,43）を接続することができる。また、接続部品の数量を減らすことで、プリント基板の小型化、コスト削減を図ることができる。
【００２０】
第２の発明では、圧縮機（21）の電流値を用いることで、冷媒回路（11）の冷媒の圧力を簡便且つ確実に推定できる。また、このように検出する電流値ないし、それを示す指標は、圧縮機（21）の運転制御にも利用できる。
【００２１】
第３の発明では、冷媒の温度を用いることで、冷媒回路（11）の冷媒の圧力を推定できる。また、このように検出した冷媒の温度ないし、それを示す指標は、冷媒回路（11）の冷凍サイクルの制御にも利用できる。
【００２２】
第４の発明では、高圧圧力スイッチ（41）及び低圧圧力スイッチ（42）のいずれが作動したかを高い精度で判定できる。
【図面の簡単な説明】
【００２３】
【図１】図１は、実施形態に係る冷凍装置の概略の配管系統図である。
【図２】図２は、実施形態に係るスイッチ回路の電気回路図である。
【図３】図３は、実施形態に係る制御部のブロック図である。
【図４】図４は、実施形態に係る判定部の判定ロジックを示す図である。
【図５】図５は、変形例１に係るスイッチ回路の電気回路図である。
【図６】図６は、変形例２に係るスイッチ回路の電気回路図である。
【発明を実施するための形態】
【００２４】
以下、本発明の実施形態を図面に基づいて詳細に説明する。なお、以下の実施形態は、本質的に好ましい例示であって、本発明、その適用物、あるいはその用途の範囲を制限することを意図するものではない。
【００２５】
本実施形態は、本発明に係る冷凍装置は、室内の空気の温度を調節する空気調和装置（10）を構成している。空気調和装置（10）は、冷房運転と暖房運転とを切り換えて行う。空気調和装置（10）は、例えば複数の室内ユニット（30）を有するマルチ型に構成される。
【００２６】
〈空気調和装置の全体構成〉
図１に示す空気調和装置（10）は、室外に設置される１台の室外ユニット（20）と、室内に設置される複数の室内ユニット（30）とを有する。なお、図１では、１台の室内ユニット（30）のみを代表して図示している。空気調和装置（10）では、室外ユニット（20）と室内ユニット（30）とが連絡配管で接続されることで、冷媒回路（11）が構成される。冷媒回路（11）では、充填された冷媒が循環することで蒸気圧縮式の冷凍サイクルが行われる。
【００２７】
室外ユニット（20）の冷媒回路（11）には、圧縮機（21）、室外熱交換器（22）、室外膨張弁（23）、アキュムレータ（24）、及び四方切換弁（25）が接続される。圧縮機（21）は、吸入した低圧圧力の冷媒を高圧圧力にまで圧縮し、圧縮した冷媒を吐出する。圧縮機（21）のモータには、インバータ回路を介して電力が供給される。つまり、圧縮機（21）は、回転数が可変に構成される。室外熱交換器（22）は、室外ファン（26）が搬送する室外空気と冷媒とを熱交換させる。室外膨張弁（23）は、冷媒を減圧する電子膨張弁である。
【００２８】
四方切換弁（25）は、圧縮機（21）の吐出側に接続する第１ポート（P1）と、圧縮機（21）の吸入側に接続する第２ポート（P2）と、室内熱交換器（31）のガス側端部に連通する第３ポート（P3）と、室外熱交換器（22）のガス側端部に連通する第４ポート（P4）とを有する。暖房運転では、四方切換弁（25）が第１状態（図１の実線で示す状態）となり、第１ポート（P1）と第３ポート（P3）とが連通し且つ第２ポート（P2）と第４ポート（P4）が連通する。冷房運転では、四方切換弁（25）が第２状態（図１の破線で示す状態）となり、第１ポート（P1）と第４ポート（P4）が連通し且つ第２ポート（P2）と第３ポート（P3）とが連通する。
【００２９】
各室内ユニット（30）の冷媒回路（11）には、室内熱交換器（31）及び室内膨張弁（32）がそれぞれ接続される。室内熱交換器（31）は、室内ファン（33）が搬送する室内空気と冷媒とを熱交換させる。室内膨張弁（32）は、冷媒を減圧する電子膨張弁である。
【００３０】
冷媒回路（11）には、第１冷媒温度センサ（27）と第２冷媒温度センサ（28）とが接続される。第１冷媒温度センサ（27）は、室外熱交換器（27）の伝熱管に接続される。第１冷媒温度センサ（27）は、暖房運転時において室外熱交換器（27）で蒸発する冷媒の蒸発温度Ｔeを検出し、冷房運転時において室外熱交換器（27）で凝縮する冷媒の凝縮温度Ｔcを検出する。第２冷媒温度センサ（28）は、室内熱交換器（31）の伝熱管に接続される。第２冷媒温度センサ（28）は、暖房運転時において室内熱交換器（31）で凝縮する冷媒の凝縮温度Ｔcを検出し、冷房運転時において室内熱交換器（31）で蒸発する冷媒の蒸発温度Ｔeを検出する。
【００３１】
冷媒回路（11）には、高圧圧力スイッチ（41）と低圧圧力スイッチ（42）とが接続される。高圧圧力スイッチ（41）は、冷媒回路（11）のうち高圧冷媒が流れる高圧ラインに接続され、低圧圧力スイッチ（42）は、冷媒回路（11）のうち低圧冷媒が流れる低圧ラインに接続される。具体的に本実施形態では、高圧圧力スイッチ（41）が圧縮機（21）の吐出管に接続され、低圧圧力スイッチ（42）が圧縮機（21）の吸入管に接続される。
【００３２】
〈空気調和装置の運転動作〉
暖房運転では、四方切換弁（25）が第１状態となり、圧縮機（21）が運転される。圧縮機（21）で圧縮された後の冷媒は、室内熱交換器（31）で室内空気に放熱して凝縮する。凝縮した冷媒は、室外膨張弁（23）で減圧された後、室外熱交換器（22）で室外空気から吸熱して蒸発する。蒸発した後の冷媒は、圧縮機（21）に吸入されて圧縮される。
【００３３】
冷房運転では、四方切換弁（25）が第２状態となり、圧縮機（21）が運転される。圧縮機（21）で圧縮された後の冷媒は、室外熱交換器（22）で室外空気に放熱して凝縮する。凝縮した冷媒は、室内膨張弁（32）で減圧された後、室内熱交換器（31）で室内空気から吸熱して蒸発する。蒸発した後の冷媒は、圧縮機（21）に吸入されて圧縮される。
【００３４】
〈スイッチ回路、及びその周辺構造〉
図２に示すように、空気調和装置（10）は、プリント基板（50a）と、プリント基板（50a）に接続されるスイッチ回路（40）とを有する。
【００３５】
プリント基板（50a）には、複数の電子部品が実装される。プリント基板（50a）には、コネクタ（60）が設けられる。コネクタ（60）には、第１端子（61）及び第２端子（62）が設けられる。
【００３６】
スイッチ回路（40）は、その一端が第１端子（61）に接続し、その他端が第２端子（62）に接続される。スイッチ回路（40）には、高圧圧力スイッチ（41）のスイッチ部（41a）と、低圧圧力スイッチ（42）のスイッチ部（42a）とが直列に接続される。高圧圧力スイッチ（41）は、検知した冷媒の圧力が所定の設定圧力以上になると作動する。高圧圧力スイッチ（41）が作動すると、高圧圧力スイッチ（41）のスイッチ部（41a）が接点を開く状態となる。低圧圧力スイッチ（42）は、検知した冷媒の圧力が所定の設定圧力以下になると作動する。低圧圧力スイッチ（42）が作動すると、低圧圧力スイッチ（42）が接点を開く状態となる。
【００３７】
高圧圧力スイッチ（41）が作動する設定圧力と、低圧圧力スイッチ（42）が作動する設定圧力とは互いに異なる。高圧圧力スイッチ（41）の設定圧力は、例えば３〜４ＭＰａ程度に設定される。
【００３８】
高圧圧力スイッチ（41）及び低圧圧力スイッチ（42）が作動していない状態であるときには、各スイッチ部（41a,42a）が閉状態となる。これにより、コネクタ（60）を介してスイッチ回路（40）を電流が流れ、スイッチ回路（40）が通電状態となる。高圧圧力スイッチ（41）及び低圧圧力スイッチ（42）のいずれかが作動すると、高圧圧力スイッチ（41）及び低圧圧力スイッチ（42）のいずれかのスイッチ部（41a,41b）が開状態となる。これにより、スイッチ回路（40）の接点が開放され、スイッチ回路（40）が非通電状態となる。
【００３９】
〈制御部〉
図３に示すように、空気調和装置（10）は、制御部（50）及び表示部（53）を備えている。制御部（50）は、プリント基板（50a）に実装されるマイクロコンピュータなどの電子部品で構成される。制御部（50）は、判定部（51）と圧縮機制御部（52）とを含んでいる。
【００４０】
判定部（51）は、高圧圧力スイッチ（41）と低圧圧力スイッチ（42）の一方が作動したときに、いずれの圧力スイッチ（41,42）が作動したかを判定する。具体的に、本実施形態の判定部（51）は、いずれかの圧力スイッチ（41,42）が作動してスイッチ回路（40）が非通電状態になると、圧縮機（21）の電流値Ｉmに基づいていずれの圧力スイッチ（41,42）が作動したかを判定する。圧縮機（21）の電流値Ｉmは、例えばインバータ回路（駆動回路）の二次側に接続される電流検知部（20a）によって検出される。圧縮機制御部（52）は、判定部（51）で判定された結果に応じて、圧縮機（21）を制御する。
【００４１】
表示部（53）には、判定部（51）の判定に基づく結果が表示される。具体的に、判定部（51）においていずれの圧力スイッチ（41,42）が作動したかが特定されると、表示部（53）には、この結果に基づく異常サイン等が表示される。
【００４２】
〈圧力スイッチが作動したときの判定動作〉
高圧圧力スイッチ（41）及び低圧圧力スイッチ（42）が作動したときの判定部（51）の判定動作について説明する。判定部（51）は、図４に示す条件Ａが成立するか否かで、高圧圧力スイッチ（41）が作動したか、低圧圧力スイッチ（42）が作動したかを判定する。
【００４３】
具体的には、例えば冷媒回路（11）で冷凍サイクルを行う冷媒の圧力が全体的に高くなり、高圧圧力スイッチ（41）が作動したとする。この場合、高圧圧力スイッチ（41）のスイッチ部（41a）が接点を開く状態となり、スイッチ回路（40）が非通電状態となる。判定部（51）は、スイッチ回路（40）が非通電状態であるときに条件Ａが成立するか否かを判定する。条件Ａは、圧縮機（21）が運転中であり、且つ圧縮機（21）の電流値Ｉmが所定の判定値Ｉs（例えば７Ａ）より大きいと成立する。
【００４４】
圧縮機（21）の電流値Ｉmは、冷媒回路（11）の圧力に応じて変化する。例えば冷媒回路（11）の冷媒の全体的な圧力が高くなる状態では、高圧冷媒の圧力（凝縮圧力に相当）と、低圧冷媒の圧力（蒸発圧力に相当）との双方が高くなる。このため、圧縮機（21）に吸入される低圧冷媒の質量流量が大きくなり、圧縮機（21）の仕事量も大きくなる。従って、冷媒回路（11）の冷媒の全体的な圧力が高い場合、圧縮機（21）の電流値Ｉmが大きくなる。以上のことを理由に、スイッチ回路（40）が非通電状態であるときに、電流値Ｉmが判定値Ｉsより大きいと、判定部（51）は、高圧圧力スイッチ（41）が作動したと判定する。
【００４５】
一方、例えば冷媒回路（11）で冷凍サイクルを行う冷媒の圧力が全体的に低くなり、低圧圧力スイッチ（42）が作動したとする。この場合、低圧圧力スイッチ（42）のスイッチ部（42a）が接点を開く状態となり、スイッチ回路（40）が非通電状態となる。判定部（51）は、スイッチ回路（40）が非通電状態であるときに条件Ａが成立するか否かを判定する。
【００４６】
冷媒回路（11）の冷媒の全体的な圧力が低くなる状態では、高圧冷媒の圧力（凝縮圧力に相当）と、低圧冷媒の圧力（蒸発圧力に相当）との双方が低くなる。このため、圧縮機（21）に吸入される低圧冷媒の質量流量が小さくなり、圧縮機（21）の仕事量も小さくなる。従って、冷媒回路（11）の冷媒の全体的な圧力が低い場合、圧縮機（21）の電流値Ｉmが小さくなる。以上のことを理由に、スイッチ回路（40）が非通電状態であるときに、電流値Ｉmが判定値Ｉsより小さいと、判定部（51）は、低圧圧力スイッチ（42）が作動したと判定する。
【００４７】
判定部（51）において、いずれかの圧力スイッチ（41,42）が作動したかが判定されると、表示部（53）には、そのことを示す異常サイン等が表示される。
【００４８】
−実施形態の効果−
実施形態によれば、高圧圧力スイッチ（41）と低圧圧力スイッチ（42）とを１つのスイッチ回路（40）に直列に接続しているため、高圧圧力スイッチ（41）と低圧圧力スイッチ（42）とでスイッチ回路（40）及びコネクタ（60）を共有できる。このため、プリント基板（50a）のコネクタ（60）ないし端子（61,62）の数量を削減でき、プリント基板（50a）の小型化、低コスト化を図ることができる。
【００４９】
一方、いずれかの圧力スイッチ（41,42）が作動し、スイッチ回路（40）が非通電状態になったときには、圧縮機（21）の電流値Ｉmに基づいていずれの圧力スイッチ（41,42）が作動したかを特定できる。従って、高圧圧力スイッチ（41）及び低圧圧力スイッチ（42）の作動を確実に検出し、その後に所定の制御を実行できる。圧縮機（21）の電流値Ｉmを検出する電流検知部（20a）は、圧縮機（21）のインバータ回路等の制御にも利用される。このため、部品点数が増えることもない。
【００５０】
高圧圧力スイッチ（41）の設定圧力と、低圧圧力スイッチ（42）の設定圧力とには大きな差があるため、電流値Ｉmの検出誤差などに影響により、誤判定を招くことも確実に回避できる。
【００５１】
〈変形例１〉
図５に示すように、変形例１のスイッチ回路（40）には、第１高圧圧力スイッチ（41）のスイッチ部（41a）と、第２高圧圧力スイッチ（43）のスイッチ部（43a）とが直列に接続される。これらの高圧圧力スイッチ（41）が作動する設定圧力は互いに異なる。具体的には、第１高圧圧力スイッチ（41）の設定圧力は、例えば４ＭＰａに設定され、第２高圧圧力スイッチ（43）の設定圧力は、例えば３．３ＭＰａに設定される。
【００５２】
一方、判定部（51）の判定値Ｉsは、上記実施形態よりも大きい所定の値に設定される。スイッチ回路（40）が非通電状態になると、実施形態と同様、圧縮機（21）の電流値Ｉmと、判定値Ｉsとが比較される。圧縮機（21）の電流値Ｉmが判定値Ｉsよりも小さい場合、設定圧力が低い第２高圧圧力スイッチ（43）のみが作動したと判定される。圧縮機（21）の電流値Ｉmが判定値Ｉsよりも大きい場合、第２高圧圧力スイッチ（43）に加え、設定圧力が高い第１高圧圧力スイッチ（41）が作動したと判定される。これにより、上記実施形態と同様、コネクタ（60）の数量を削減しつつ、２つの高圧圧力スイッチ（41）の作動を判定できる。
【００５３】
〈変形例２〉
図６に示すように、変形例２のスイッチ回路（40）には、第１高圧圧力スイッチ（41）のスイッチ部（41a）と、第２高圧圧力スイッチ（43）のスイッチ部（43a）と、低圧圧力スイッチ（42）のスイッチ部（42a）とが直列に接続される。変形例１と同様、第１高圧圧力スイッチ（41）の設定圧力は、第２高圧圧力スイッチ（43）の設定圧力よりも高い。低圧圧力スイッチ（42）の設定圧力は、第１高圧圧力スイッチ（41）及び第２高圧圧力スイッチ（43）の設定圧力よりも極めて低い。
【００５４】
一方、判定部（51）には、第１判定値Ｉs1と、第１判定値Ｉs1よりも大きい第２判定値Ｉs2とが設定される。圧縮機（21）の電流値Ｉmが判定値Ｉs1よりも小さい場合、設定圧力が最も低い低圧圧力スイッチ（42）が作動したと判定される。圧縮機（21）の電流値Ｉmが第１判定値Ｉs1よりも大きく、第２判定値Ｉs2よりも小さい場合、第２高圧圧力スイッチ（43）のみが作動したと判定される。圧縮機（21）の電流値Ｉmが第２判定値Ｉs2よりも大きい場合、第２高圧圧力スイッチ（43）に加え、第１高圧圧力スイッチ（41）が作動したと判定される。
【００５５】
このように変形例２では、３つの圧力スイッチ（41,42,43）が１つのスイッチ回路（40）を共有しているため、コネクタ（60）や端子（61,62）などの接続部品の数量を効果的に削減できる。
【００５６】
《その他の実施形態》
スイッチ回路（40）には、設定圧力が異なる４つ以上の圧力スイッチを直列に接続することもできる。この場合、判定部（51）には、ｎ−１つ（ｎは圧力スイッチの数）の判定値を設定し、変形例２と同様の判定を行えばよい。
【００５７】
上記実施形態では、圧力スイッチ（41,42,43）を特定するための冷媒回路（11）の圧力に相当する物理量として、圧縮機（21）の電流値を用いている。しかしながら、圧縮機（21）の電流値を直接用いずに、この電流値を示す指標となる他のパラメータを用いてもよい。
【００５８】
また、冷媒回路（11）の圧力に相当する物理量として、冷媒回路（11）の冷媒の温度を示す指標を用いてもよい。具体的には、この指標として凝縮温度Ｔｃ及び蒸発温度Ｔｅのいずれか一方又は両方を用いるとよい。冷媒の凝縮温度Ｔｃ及び蒸発温度Ｔｅは、上述したように、図１に示す第１冷媒温度センサ（27）及び第２冷媒温度センサ（28）で計測することができる。
【００５９】
凝縮温度Ｔｃ及び蒸発温度Ｔｅの双方を用いると、冷媒回路（11）の冷媒の全体の圧力の傾向を確実に把握でき、圧力スイッチ（41,42,43）を特定する精度を向上できる。また、凝縮温度Ｔｃ及び蒸発温度Ｔｅの一方のみを指標とすると判定ロジックを簡素化できる。また、冷媒の凝縮温度や蒸発温度を示す指標として、例えば凝縮圧力や蒸発圧力を用いるようにしてもよい。
【００６０】
上記判定部（51）は、少なくとも、圧力に相当する物理量に基づいて、どの圧力スイッチ（41,42,43）が作動したかを判定するものであればよい。つまり、判定部（51）は、圧縮機（21）の電流値や冷媒の温度に加えて、他のパラメータも考慮して判定を行うものであってもよいし、電流値や冷媒の温度に所定の補正係数を乗じたり、加えたりした後の指標に基づいて判定を行うものであってもよい。
【００６１】
本発明に係る冷凍装置は、空気調和装置（10）に適用されている。しかし、冷凍装置は、例えば庫内の空気を冷却する冷凍機、いわゆるチリングユニット、温水を生成する給湯器等、冷媒回路（11）で冷凍サイクルを行うものであれば如何なる熱搬送装置に採用してもよい。
【産業上の利用可能性】
【００６２】
以上説明したように、本発明は、冷凍装置、及び圧力スイッチの作動判定方法について有用である。
【符号の説明】
【００６３】
１１      冷媒回路
２１      圧縮機
４０      スイッチ回路
４１      第１高圧圧力スイッチ
４２      低圧圧力スイッチ
４３      第２高圧圧力スイッチ
５１      判定部
【図１】
2017227356.tif 000003
【図２】
2017227356.tif 000004
【図３】
2017227356.tif 000005
【図４】
2017227356.tif 000006
【図５】
2017227356.tif 000007
【図６】
2017227356.tif 000008